(57)【要約】【課題】搬送時の重量、敷設時の床面に対する荷重の削減が可能で、現場への搬入部品点数を少なくして、組立が容易でユニット化が可能な太陽光発電パネル取付架台を提供する。【解決手段】角柱状部材によって形成され、上部材、下部材および側部材からなる矩形部と、矩形部の上部材を底面部とし、一方の側部材と一体的に形成された垂直部からなり、矩形部と同一面に位置する三角部からなる一対の側面部材と、一対の側面部材間の底面部および背面部を、それぞれ開閉自在に繋ぐ屈曲部と、屈曲部が開かれて直線状に延伸された状態で、対向配置された一対の側面部材を補強する補強部材とを備え、対向配置された一対の側面部材によって形成される傾斜面が太陽光発電パネル取付面を形成する、太陽光発電パネル取付架台。【選択図】図１
2011204953.tif 000002
【特許請求の範囲】
【請求項１】
角柱状部材によって形成され、上部、下部および側部からなる矩形部と、前記矩形部の上部を底辺部とし、一方の側部材と一体的に形成された垂直辺部からなり、前記矩形部と同一面に位置する三角部からなる一対の側面部材と、
前記一対の側面部材間の底面部および背面部を、それぞれ開閉自在に繋ぐ屈曲部材と、
前記屈曲部材が開かれて直線状に延伸された状態で、対向配置された前記一対の側面部材を補強する補強部材とを備え、
対向配置された前記一対の側面部材によって形成される傾斜面が太陽光発電パネル取付面を形成する、太陽光発電パネル取付架台。
【請求項２】
前記屈曲部材が底面部側の第１屈曲部材と背面部側の第２屈曲部材からなり、前記第１屈曲部材が対向配置された前記矩形部の前記下部の両端部にそれぞれ設けられており、前記第２屈曲部材が対向配置された前記矩形部の前記三角部の垂直辺部の上端部に設けられている、請求項１に記載の太陽光発電パネル取付架台。
【請求項３】
前記第１および第２屈曲部材の各々が、中央部がＶ字形に屈曲する、先端部および他方の端部がそれぞれ回動可能に取り付けられた二本の角柱状部材からなっている、請求項２に記載の太陽光発電パネル取付架台。
【請求項４】
前記二本の角柱状部材の他方の端部の一方に高さを補正する高さ補正部材を備え、屈曲時に対向配置された前記側面部材が相互に接触する、請求項３に記載の太陽光発電パネル取付架台。
【請求項５】
前記補強部材が、背面部を補強する第１補強部材と、底面部を補強する第２補強部材とからなっており、第１補強部材が前記三角部の垂直辺部に着脱可能に取り付けられ、第２補強部材が前記矩形部の上部に着脱可能に取り付けられる、請求項１から４の何れか１項に記載の太陽光発電パネル取付架台。
【請求項６】
前記第１補強部材が板状部材からなり、前記三角部の垂直辺部に、前記板状部材が嵌合する鉤状部材を備えている、請求項５に記載の太陽光発電パネル取付架台。
【請求項７】
前記第２補強部材が板状部材と板状部材の両端部に設けられた、前記矩形部の上部に形成された孔部に対応する柱状部とを備えている、請求項５に記載の太陽光発電パネル取付架台。
【請求項８】
短辺部および長辺部からなる矩形の枠体からなる基体と、
前記基体のそれぞれの短辺部に１つの辺部が重ねて配置され、前記１つの辺を中心に下方に向かって回動して設定される矩形の脚部と、
前記基体の一方の短辺部に、短枠部が重ねて配置され前記短枠部を中心に上方に向かって回動可能な短枠部および長枠部からなる、上側の面が太陽光発電パネル取付面を形成するパネル用ベースと、
前記基体の他方の短辺部の近傍に、軸部材によって短枠部材が回転可能に結合されて、前記短枠部材を中心に上方に向かって回動可能な、短枠部材および長枠部材からなる、前記パネル用ベースを支持する矩形の支持部材と、
前記基体の短辺部と、前記脚部の１つの辺と、前記パネル用ベースの短枠部、並びに、前記基体の短辺部と、前記脚部の１つの辺とを、それぞれ回動可能に結合する結合部材とを備えた、太陽光発電パネル取付架台。
【請求項９】
前記基体、前記脚部、前記パネル用ベース、および、前記支持部材がそれぞれ枠体から形成されている、請求項８に記載の太陽光発電パネル取付架台。
【請求項１０】
前記パネル用ベースの前記長枠部材の下側面に、前記支持部材の上方に向かって回動可能な短枠部材の角部に対応する形状の複数個の凹部が形成されて、支持される前記パネル用ベースの傾斜角度を調整することが可能である、請求項９に記載の太陽光発電パネル取付架台。
【発明の詳細な説明】
【技術分野】
【０００１】
この発明は、太陽光によって発電する太陽光発電パネルを支持する太陽光発電パネル取付架台、特に軽量で折りたたみ式構造の太陽光発電パネル取付架台に関する。
【背景技術】
【０００２】
火力発電に代わり、省資源化が可能なクリーンなエネルギーとして太陽光発電が開発・改良が進められ、積極的に広く導入されている。太陽光発電の設備は一般的に平らな面または建物屋上、住宅の屋根上に設置されている。通常、太陽の光を効率的に受光することができるように、太陽光発電パネル取付架台を使用して、太陽光発電パネルを所定の傾斜角度で支持している。
【０００３】
太陽光発電パネルはその特性上、屋外に設置されるので、いろいろな方向からの風を受け、パネルに対して上向きの風圧力が働いたり、パネルに対して下向きの風圧力が働いたりする。従って、パネルに傾斜を持たせた姿勢で、強風による風荷重に耐えるように強固な取り付け架台が必要とされている。
これらの要求を満たすために、通常、強い強度の鋼材を用いて、パネル設置用の傾斜面を備えて鋼材を組み立て、柱部分、梁部分を、アンカー、ボルト・ナットを使用して組み上げている。
【０００４】
図９は、従来の太陽光発電パネル取付架台を説明する図である。図９に示すように、従来の太陽光発電パネル取付架台１０１は、矩形枠状の取付フレーム１０２と、取付フレーム内に一定の間隔を保って並設した取付ビーム１０３と、取付フレームを前・後部において一定の高さ寸法で傾斜支持する低・高脚支柱１０４、１０５を備えている。取付フレーム１０２は、みぞ形鋼、角形鋼管等によって矩形枠状に形成されている。取付ビーム１０３は、みぞ形鋼によって形成されている。取付フレーム１０２、取付ビーム１０３、低・高脚支柱１０４、１０５はそれぞれボルト・ナットによって固定されている。
【先行技術文献】
【特許文献】
【０００５】
【特許文献１】特開２０００−１０１１２３号公報
【特許文献２】特開平８−２７４３６４号公報
【発明の概要】
【発明が解決しようとする課題】
【０００６】
上述したように、従来の太陽光発電パネル取付架台は、建築材料のように鋼材を持ち運び、現地において組み立て、ボルト・ナットによって固定するので、各部材の現場への搬入部品点数が大きく、現地における組み立て工程が多くなり、時間的・両力的に大きな負担が生じる。更に、取付用の各部材に山形鋼・平鋼を使用するので、重量が過度に大きくなり移動に多大な労力を要すると共に、敷設時に床面に加わる負荷が大きくなるという問題点がある。
【０００７】
従って、この発明の目的は、搬送時の重量、敷設時の床面に対する荷重の削減が可能で、現場への搬入部品点数を少なくして、組立が容易でユニット化が可能な太陽光発電パネル取付架台を提供することにある。
【課題を解決するための手段】
【０００８】
発明者は従来の問題点を解決するため、鋭意研究を重ねた。その結果、アルミニウム等の軽量な素材によってフレームを形成し、それらを組み合わせることによって折りたたみ式の太陽光発電パネル取付架台を形成すると、一部の補強材を使用するだけで、組立が容易でユニット化が可能な軽量の太陽光発電パネル取付架台を得ることができる。即ち、概ね台形状の１対の側面部をフレームで形成し、１対の側面部の底面および背面を、フレームによって形成された開閉自在の屈曲部によって連絡すると、屈曲部を直線状に延ばすだけで太陽光発電パネル取付架台を得ることができることが判明した。
【０００９】
この発明の太陽光発電パネル取付架台の第１の態様は、角柱状部材によって形成され、上部、下部および側部からなる矩形部と、前記矩形部の上部を底辺部とし、一方の側部と一体的に形成された垂直辺部からなり、前記矩形部と同一面に位置する三角部からなる一対の側面部材と、前記一対の側面部材間の底面部および背面部を、それぞれ開閉自在に繋ぐ屈曲部材と、前記屈曲部材が開かれて直線状に延伸された状態で、対向配置された前記一対の側面部材を補強する補強部材とを備え、対向配置された前記一対の側面部材によって形成される傾斜面が太陽光発電パネル取付面を形成する、太陽光発電パネル取付架台である。
【００１０】
この発明の太陽光発電パネル取付架台の第２の態様は、前記屈曲部材が底面部側の第１屈曲部材と背面部側の第２屈曲部材からなり、前記第１屈曲部材が対向配置された前記矩形部の前記下部の両端部にそれぞれ設けられており、前記第２屈曲部材が対向配置された前記矩形部の前記三角部の垂直辺部の上端部に設けられている、太陽光発電パネル取付架台である。
【００１１】
この発明の太陽光発電パネル取付架台の第３の態様は、前記第１および第２屈曲部材の各々が、中央部がＶ字形に屈曲する、先端部および他方の端部がそれぞれ回動可能に取り付けられた二本の角柱状部材からなっている、太陽光発電パネル取付架台である。
【００１２】
この発明の太陽光発電パネル取付架台の第４の態様は、前記二本の角柱状部材の他方の端部の一方の側の高さを補正する高さ補正部材が、前記下部の端部上表面に備えられ、屈曲時に対向配置された前記側面部材が相互に接触する、太陽光発電パネル取付架台である。
【００１３】
この発明の太陽光発電パネル取付架台の第５の態様は、前記補強部材が、背面部を補強する第１補強部材と、底面部を補強する第２補強部材とからなっており、第１補強部材が前記三角部の垂直辺部に着脱可能に取り付けられ、第２補強部材が前記矩形部の上部に着脱可能に取り付けられる、太陽光発電パネル取付架台である。
【００１４】
この発明の太陽光発電パネル取付架台の第６の態様は、前記第１補強部材が板状部材からなり、前記三角部の垂直辺部に、前記板状部材が嵌合する鉤状部材を備えている、太陽光発電パネル取付架台である。
【００１５】
この発明の太陽光発電パネル取付架台の第７の態様は、前記第２補強部材が板状部材と板状部材の両端部に設けられた、前記矩形部の上部に形成された孔部に対応する柱状部とを備えている、太陽光発電パネル取付架台である。
【００１６】
この発明の太陽光発電パネル取付架台の第８の態様は、短辺部および長辺部からなる矩形の枠体からなる基体と、前記基体のそれぞれの短辺部に１つの辺部が重ねて配置され、前記１つの辺を中心に下方に向かって回動して設定される矩形の脚部と、前記基体の一方の短辺部に、短枠部が重ねて配置され前記短枠部を中心に上方に向かって回動可能な短枠部および長枠部からなる、上側の面が太陽光発電パネル取付面を形成するパネル用ベースと、前記基体の他方の短辺部に、短枠部材が重ねて配置され前記短枠部材を中心に上方に向かって回動可能な短枠部材および長枠部材からなる、前記パネル用ベースを支持する矩形の支持部材と、前記基体の短辺部と、前記脚部の１つの辺と、前記パネル用ベースの短枠部、並びに、前記基体の短辺部と、前記脚部の１つの辺と、前記支持部材の短枠部材を、それぞれ回動可能に結合する結合部材とを備えた、太陽光発電パネル取付架台である。
【００１７】
この発明の太陽光発電パネル取付架台の第９の態様は、前記基体、前記脚部、前記パネル用ベース、および、前記支持部材がそれぞれ枠体から形成されている、太陽光発電パネル取付架台である。
【００１８】
この発明の太陽光発電パネル取付架台の第１０の態様は、前記パネル用ベースの前記長枠部材の下側面に、前記支持部材の上方に向かって回動可能な短枠部材の角部に対応する形状の複数個の凹部が形成されて、支持される前記パネル用ベースの傾斜角度を調整することが可能である、太陽光発電パネル取付架台である。
【発明の効果】
【００１９】
この発明によると、搬送時の重量、敷設時の床面に対する荷重の削減が可能で、現場への搬入部品点数を少なくして、組立が容易でユニット化が可能な太陽光発電パネル取付架台を提供することができる。
即ち、この発明の太陽光発電パネル取付架台によると、パネル取付架台が折りたたみ式の構造を備えているので、現場における組み立て作業の組み立て工数を削減することができるので、現場での作業を非常に抑えることができる。
【００２０】
更に、パネル取付架台を折りたたみ式の構造にするので、現場への搬入部品点数を大きく削減することができる。更に、パネル取付架台の部材をアルミニウム等の軽量な素材によって形成するので、現場への搬送時の重量、および、敷設時における床面の荷重を低減することができる。更に、パネル取付架台をユニット化するので、現地における加工工程を低減することが可能で、加工精度の向上を図ることができる。
【図面の簡単な説明】
【００２１】
【図１】図１は、この発明の太陽光発電パネル取付架台の１つの態様を説明する図である。
【図２】図２（ａ）は、二本の角柱状部材からなる屈曲部材を説明する図である。図２（ｂ）は、高さ補正部材を説明する図である。
【図３】図３は、この発明の太陽光発電パネル取付架台の１つの態様から補強部材を取り除き、折りたたんだ状態を説明する図である。
【図４】図４は、折りたたまれた太陽光発電パネル取付架台を展開する状態を説明する図である。
【図５】図５は、第１屈折部材および第２屈折部材の二本の角柱状部材が一直線状に延伸して、太陽光発電パネル取付架台が展開された状態を説明する図である。
【図６】図６は、一直線状に延伸した二本の角柱状部材をその状態で固定する固定部材を説明する図である。
【図７】図７（ａ）は、展開された太陽光発電パネル取付架台に取り付けられる補強部材を説明する図である。図７（ｂ）は垂直部に取り付けられた鉤状部材を説明する図である。
【図８】図８は、他の態様の太陽光発電パネル取付架台を説明する図である。
【図９】図９は、従来の太陽光発電パネル取付架台を説明する図である。
【発明を実施するための形態】
【００２２】
この発明の太陽光発電パネル取付架台を、図面を参照しながら説明する。
この発明の太陽光発電パネル取付架台の１つの態様は、角柱状部材によって形成され、上部、下部および側部からなる矩形部と、矩形部の上部を底面部とし、一方の側部と一体的に形成された垂直部と、底面部と垂直部のそれぞれの端部を連絡する傾斜部とからなり、矩形部と同一面に位置する三角部とからなる一対の側面部材と、一対の側面部材間の底面部および背面部を、それぞれ開閉自在に繋ぐ屈曲部材と、屈曲部材が開かれて直線状に延伸された状態で、対向配置された一対の側面部材を補強する補強部材とを備え、対向配置された一対の側面部材によって形成される傾斜面が太陽光発電パネル取付面を形成する、太陽光発電パネル取付架台である。
【００２３】
図１は、この発明の太陽光発電パネル取付架台の１つの態様を説明する図である。図１に示すように、この発明の太陽光発電パネル取付架台１は、対向配置された一対の側面部材２−１、２−２と、一対の側面部材２−１、２−２間を開閉自在に繋ぐ屈曲部材３−１、３−２、３−３と、補強部材４−１、４−２、４−３とを備えている。
【００２４】
側面部材２−１は、角柱状部材によって形成され、上部１１−１、下部１２−１および側部８−１、９−１からなる矩形部５−１と、矩形部５−１の上部１１−１を底辺部とし、一方の側部８−１と一体的に形成された垂直辺部１０−１と、底辺部と垂直辺部のそれぞれの端部を連絡する傾斜辺部１３−１とからなり、矩形部５−１と同一面に位置する三角部６−１からなっている。対向配置される他方の側面部２−２も同様に矩形部５−２および三角部６−２からなっている。上述した１対の側面部２−１および２−２は、それぞれアルミニウム等の軽量の１つの部材で形成されている。
【００２５】
屈曲部材３−１、３−２、３−３は、一対の側面部材２−１、２−２間の底面部１４および背面部１５を、それぞれ開閉自在に繋いでいる。底面部１４は、対向配置された一対の側面部材２−１、２−２のそれぞれの下部１２−１、１２−２を含む面であり、背面部１５は、対向配置された一対の側面部材２−１、２−２のそれぞれの垂直部７−１（即ち、側部８−１と垂直辺部１０−１とからなる部分）を含む面である。
【００２６】
屈曲部材３は、底面部１４側の第１屈曲部材３−２、３−３と背面部１５側の第２屈曲部材３−１からなっている。第１屈曲部材３−２、３−３は、対向配置された側面部材２−１、２−２の矩形部５−１、５−２の下部１２−１、１２−２の両端部にそれぞれ設けられている。第２屈曲部材３−１は、対向配置された側面部材２−１、２−２の三角部６−１、６−２の垂直辺部１０−１、１０−２の上端部に設けられている。
【００２７】
第１屈曲部材３−２、３−３および第２屈曲部材３−１は、それぞれ二本の角柱状部材からなっており、二本の角柱状部材は、中央部がＶ字形に屈曲するように、先端部同士が回動可能に取り付けられ、そして他方の端部がそれぞれ上述した矩形部５−１、５−２の下部１２−１、１２−２の両端部（第１屈曲部材３−２、３−３）、または、垂直辺部の１０−１、１０−２の上端部（第２屈曲部材３−１）に回動可能に取り付けられている。
【００２８】
補強部材４は、背面部１５側を補強する第１補強部材４−１と、底面部１４側を補強する第２補強部材４−２、４−３とからなっている。第１補強部材４−１は、三角部６−１、６−２の垂直辺部１０−１、１０−２に着脱可能に取り付けられ、第２補強部材４−２、４−３は、矩形部５−１、５−２の上部１１−１、１１−２に着脱可能に取り付けられている。
【００２９】
図２（ａ）は、二本の角柱状部材からなる屈曲部材を説明する図である。図２（ｂ）は、高さ補正部材を説明する図である。図２（ａ）に示すように、屈曲部材３は、二本の角柱状部材１７、１８からなり、先端部を重ね合わせて先端部同士がピン１９等によって回動可能に組み合わされている。二本の角柱状部材１７、１８のそれぞれの他方の端部２０、２１は、同様にピン１９等によって、矩形部５−１、５−２の下部１２−１、１２−２の端部の上表面に回動可能に取り付けられている。
【００３０】
屈曲部材３−２においては、図中、左側の角柱状部材１７が右側の角柱状部材１７の上側に重ねられている。屈曲部材３−３においては、図中、左側の角柱状部材１７が右側の角柱状部材１７の下側に重ねられている。このように、二本の角柱状部材の先端部同士を回動可能に組み合わせ、他方の端部をそれぞれ矩形部５−１、５−２の下部１１−１、１１−２の端部の上表面にそれぞれ回動可能に取り付けることによって、二本の角柱状部材によって形成された屈曲部材の中央部がＶ字形に屈曲する。
【００３１】
図２（ｂ）に示すように、矩形部５−１、５−２の下部１１−１、１１−２の端部の上表面に上述した二本の角柱状部材１７、１８の一方の端部の高さを補正する高さ補正部材１６が設けられている。この高さ補正部材１６は、二本の角柱状部材１７、１８の上側に重ねられた側の端部に設けられる。即ち、先端部が重ね合わされた二本の角柱状部材１７、１８の上側に重ねられた側の端部は、角柱状部材の厚さ分だけ、下部１１の上表面から高く位置している。
【００３２】
当該端部をそのままの状態で支持するために、側部８−１、９−１と下部１１−１、１１−２との間の角部に、それぞれ高さ補正部材１６が設けられている。従って、他方の端部がそれぞれ下部１１に固定された二本の角柱状部材１７、１８の重ね合わされた先端部が、Ｖ字形に屈曲し、または、直線状に延伸するのを容易にすることができる。
【００３３】
図３は、この発明の太陽光発電パネル取付架台の１つの態様から補強部材を取り除き、折りたたんだ状態を説明する図である。図３に示すように、太陽光発電パネル取付架台１を折りたたんだ状態では、補強部材が取り除かれ、対向配置された１対の側面部材２−１、２−１がそれぞれ接触した状態になる。現場にはこの状態で搬入することができる。
【００３４】
即ち、底面部１４および背面部１５に設けられた第１屈折部材３−２、３−３、第２屈折部材３−１の二本の角柱状部材１７、１８の重ね合わされた先端部がＶ字形に屈曲し、側部９−１、９−２、下部１２−１、１２−２、垂直部７−１、７−２、および、傾斜辺部１３−１、１３−２が、それぞれ側面で重ね合わされて接触して、折りたたんだ状態を示している。図２を参照して説明した高さ補正部材１６が下部１２−１と垂直部７−１の角部に設けられて、第１屈折部材３−２の上側に重ね合わされた角柱状部材１７の端部をその高さに保持している。第１屈折部材３−３、第２屈折部材３−１に関しても同様に高さ補正部材１６が設けられて、折りたたみを容易にしている。なお、傾斜辺部１３−１、１３−２の上面の所定の位置に、太陽光発電パネルを配置するための孔部２２を適宜設けている。
【００３５】
図４は、折りたたまれた太陽光発電パネル取付架台を展開する状態を説明する図である。図３を参照したコンパクトな状態で現場に搬入された太陽光発電パネル取付架台は、図４に示すように、展開される。即ち、側面で相互に接触していた一対の側面部材２−１、２−２の一方または両方がそれぞれ外側に移動する。一対の側面部材２−１、２−２の外側への移動によって、底面部１４に取り付けられた第１屈折部材３−２、３−３および背面部１５に取り付けられた第２屈折部材３−１のそれぞれの二本の角柱状部材１７、１８の重ね合わされた先端部の角度が次第に広がって、二本の角柱状部材１７、１８が一直線状に延伸するまで移動する。上述したように、先端部が重ね合わされた二本の角柱状部材１７、１８は、高さ補正部材１６によって、同一面を移動するので、折りたたまれた太陽光発電パネル取付架台の展開が容易に行われる。太陽光発電パネル取付架台の折りたたみは、上述した逆の操作によって容易にコンパクトな状態へと移動して行われる。
【００３６】
図５は、第１屈折部材および第２屈折部材の二本の角柱状部材が一直線状に延伸して、太陽光発電パネル取付架台が展開された状態を説明する図である。図５に示すように、底面部１４に取り付けられた第１屈折部材３−２、３−３および背面部１５に取り付けられた第２屈折部材３−１のそれぞれの二本の角柱状部材１７、１８が一直線状に延伸するまで移動して、一対の側面部材２−１、２−２が完全に展開される。
【００３７】
図６は、一直線状に延伸した二本の角柱状部材１７、１８をその状態で固定する固定部材を説明する図である。図４および図５を参照して説明したように展開された太陽光発電パネル取付架台の一直線状に延伸した二本の角柱状部材１７、１８を、例えば上面および両側面を覆うように固定部材２５を取り付けて、その状態で固定する。固定部材は略コの字形の断面を有し、上面および両側面が一体的に形成されている。固定部材は二本の角柱状部材１７、１８と同様にアルミニウム等の軽量の材料で作製されている。
【００３８】
図７（ａ）は、展開された太陽光発電パネル取付架台に取り付けられる補強部材を説明する図である。図７（ｂ）は垂直部に取り付けられた鉤状部材を説明する図である。図７（ａ）に示すように、図５を参照して説明した状態の太陽光発電パネル取付架台１の強度を補強するために補強部材４を取り付ける。補強部材は、上部１１−１、１１−２の上面の両端部に取り付けられる第１の補強部材４−２、４−３と、垂直部７−１の上端部に取り付けられる第２の補強部材４−１からなっている。
【００３９】
第１の補強部材４−２、４−３は、両端部の下面上に、それぞれ一体的に形成された柱状部２６を備えている。上部１１−１、１１−２の上面の両端部には、上述した柱状部２６に対応する嵌合孔部２７が設けられている。それぞれの柱状部２６が嵌合孔部２７に嵌合されて、第１の補強部材４−２、４−３が上部１１−１、１１−２の上面の両端部に取り付けられる。なお、柱状部２６の先端部分に所定のネジを形成して、対応するナットで固定してもよい。
【００４０】
第２の補強部材４−１は、アルミニウム等の軽量の板状部材からなっている。第２の補強部材４−１は、図７（ｂ）に示すように垂直部７−１に取り付けられた鉤状部材２３によって形成された間隙部２９に収納されて固定される。鉤状部材２３は垂直部７−１と一体的に形成されてもよいし、別部材で形成されて、ネジ等によって垂直部７−１に固定されてもよい。
【００４１】
なお、上述した態様においては、傾斜辺部１３−１、１３−２は、一体的に形成されて側面部材２−１、２−２の一部になっているが、傾斜辺部１３−１、１３−２を側面部材と別部材で形成してもよい。傾斜辺部１３−１、１３−２を別部材で形成することによって、傾斜辺部１３−１、１３−２の傾斜角度を自在に調整することができ、太陽光発電パネルの柔軟な設置が可能になる。
上述したように、太陽光発電パネル取付架台は、コンパクトな折りたたみ可能なユニットとして形成され、現地に搬入後、容易に展開され、補強部材によって強度が強化される。
【００４２】
図８は、他の態様の太陽光発電パネル取付架台を説明する図である。図８（ａ
）は、この態様の太陽光発電パネル取付架台を折り畳んだ状態を説明する図である。図８（ａ）に示すように、この態様の太陽光発電パネル取付架台３１は、基体３２と、基体の下側に折り畳まれた２つの脚部３３、３４と、基体３２の上側に折り畳まれた支持部材３６と、パネル用ベース３５と、結合部材４５、４６からなっている。
【００４３】
図８（ｂ）は、脚部を組み立てた状態の太陽光発電パネル取付架台を説明する図である。図８（ｂ）に示すように、脚部３３、３４はそれぞれ１つの辺３７と他の辺３８からなる矩形の枠体である。基体３２は、短辺部４１および長辺部４２からなる矩形の枠体である。支持部材３６は、短枠部材４３および長枠部材４４からなる矩形の枠体である。パネル用ベース３５は、短枠部３９および長枠部４０からなる矩形の枠体である。
【００４４】
基体３２のそれぞれの短辺部４１の下側に、脚部３３の１つの辺部３７が重ねて配置され、１つの辺３７を中心に下方に向かって概ね９０度回動して、脚部３３が組み立てられる。基体３２の一方（図では左側）の短辺部４１の上側には、パネル用ベース３５の短枠部３９が重ねて配置されている。
【００４５】
図８（ｃ）は、組み立てた状態のこの発明の１つの態様の太陽光発電パネル取付架台を説明する図である。図８（ｃ）に示すように、脚部が上述したように組み立てられ、上述したように、基体３２の一方（図では左側）の短辺部４１の上側に短枠部３９が重ねて配置され、パネル用ベース３５が短枠部３９を中心に上方に向かって回動し、所定の角度まで回転移動する。
【００４６】
他方、基体３２の他方（図では右側）の短辺部４１の近傍に、軸部材によって支持部材３６の短枠部材４３が回転可能に結合されて、軸部材を中心に支持部材３６が上方に向かって回動可能である。
【００４７】
パネル用ベース３５の長枠部材４０の下側面に、支持部材３６の上方に向かって回動可能な短枠部材４３の角部に対応する形状の複数個の凹部が形成されている。短枠部材４３の角部が、長枠部材４０の凹部に嵌合されて、パネル用ベースを所定の傾斜角度で支持する。
【００４８】
図８（ｄ）は、傾斜角度を変えて組み立てた状態のこの発明の１つの態様の太陽光発電パネル取付架台を説明する図である。この態様では、支持部材によって支持されたパネル用ベース３５の傾斜角度が大きくなっている。なお、結合部材４５、４６は、それぞれ加工された板材からなっている。結合部材４５は、重ねて配置された脚部３３の１つの辺部３７、基体３２の短辺部４１、パネル用ベース３５の短枠部３９の側面を覆い、軸部材によって、脚部３３の１つの辺部３７、パネル用ベース３５の短枠部３９がそれぞれ回動可能に結合されている。結合部材４６は、重ねて配置された脚部３４の１つの辺部３７および基体３２の短辺部４１の側面を覆い、軸部材によって、脚部３４の１つの辺部３７が回動可能に結合されている。
【００４９】
上述したように、この発明によると、搬送時の重量、敷設時の床面に対する荷重の削減が可能で、現場への搬入部品点数を少なくして、組立が容易でユニット化が可能な太陽光発電パネル取付架台を提供することができる。
【符号の説明】
【００５０】
１  太陽光発電パネル取付架台
２  側面部材
３  屈折部材
４  補強部材
５  矩形部
６  三角部
７  垂直部
８  側部
９  側部
１０  垂直辺部
１１  上部
１２  下部
１３  傾斜辺部
１４  底面部
１５  背面部
１６  高さ補正部材
１７  角柱状部材
１８  角柱状部材
１９  ピン
２０  角柱状部材の他方の端部
２１  角柱状部材の他方の端部
２２  孔部
２３  鉤状部材
２５  固定部材
２６  柱状部
２７  嵌合孔部
２９  間隙部
【図１】
2011204953.tif 000003
【図２】
2011204953.tif 000004
【図３】
2011204953.tif 000005
【図４】
2011204953.tif 000006
【図５】
2011204953.tif 000007
【図６】
2011204953.tif 000008
【図７】
2011204953.tif 000009
【図８】
2011204953.tif 000010
【図９】
2011204953.tif 000011